(57)【要約】【課題】シャッタの不正こじ開けに対する防御性の向上を図る。【解決手段】上ケース２と下ケース３と表パネル４とを有する機器本体１と、表パネル４に設けられたカード挿入口５と、表パネル４に沿って左右方向スライド自在に設けられたカード挿入口のシャッタ６と、シャッタの上部を覆うように上ケースの前端に延設された庇部２ａと、庇部の下面側に形成され、シャッタの上端係合縁部６ｂが係合されることで、シャッタのスライド動作を案内しながら、シャッタの外れを防止するレール溝２ｃと、庇部の下面に突設され、庇部に上向き力が加えられた際に、表パネルの裏面に当たることで、庇部の上方への持ち上がりを防止する補強リブ２ｅと、を有する。補強リブが、表パネルの上端４ｂの挿入孔４ｅに挿入されることで、レール溝の一方の側壁部を構成する庇部の前端下垂壁２ｂと補強リブとの間にシャッタの上端係合縁部６ｂと表パネル４の上端４ｂとが挟まれている。【選択図】図１
2008273470.tif 000002
【特許請求の範囲】
【請求項１】
上ケースと下ケースとこれら両ケースを組み合わせることでできる前面開口を塞ぐ前面パネルとを有する機器本体と、前記前面パネルに設けられ、前記機器本体の内部に情報記憶媒体カードを挿入するためのカード挿入口と、前記前面パネルの前面に該前面パネルに沿って左右方向スライド自在に設けられることで、前記カード挿入口を開閉するスライド式のシャッタと、該シャッタの上部を覆うように前記上ケースの前端に延設された庇部と、該庇部の下面側に形成され、前記シャッタの上端係合縁部が係合されることで、シャッタのスライド動作を案内しながら、シャッタの外れを防止するレール溝と、前記庇部の下面に突設され、該庇部に上向き力が加えられた際に、前記前面パネルの裏面に当たることで、前記庇部の上方への持ち上がりを防止する補強用のリブと、を具備することを特徴とするカード挿入口付き電子機器。
【請求項２】
請求項１に記載のカード挿入口付き電子機器であって、
前記レール溝の一方の側壁部を構成する前記庇部の前端下垂壁と前記リブとの間に、前記シャッタの上端係合縁部と前記前面パネルの上端とが挟まれていることを特徴とするカード挿入口付き電子機器。
【請求項３】
請求項１または２に記載のカード挿入口付き電子機器であって、
前記前面パネルの上端に形成された挿入孔に前記リブが挿入されていることを特徴とするカード挿入口付き電子機器。
【請求項４】
請求項１または２に記載のカード挿入口付き電子機器であって、
前記リブが、前記上ケースの前後方向に長い断面形状を有していることを特徴とするカード挿入口付き電子機器。
【発明の詳細な説明】
【技術分野】
【０００１】
本発明は、車両に搭載されるデジタルタコグラフ等のカード挿入口付きの電子機器に関するものである。
【背景技術】
【０００２】
例えば、デジタルタコグラフや自動料金収受システム（ETC：Electronic Toll Collection System）車載器などの車載電子機器の中は、機器本体の前面パネル（外装パネル）に、情報記憶媒体であるメモリカードやＩＣカード等の情報記憶媒体カードを挿入するためのカード挿入口を有したものがある。
【０００３】
このようなカード挿入口付きの電子機器として、特許文献１に記載されたデジタルタコグラフが知られており、図３は同文献に記載された従来のデジタルタコグラフ１００の外観を示している。
【０００４】
このデジタルタコグラフ１００は、本体ケース１０１の前面に各種スイッチ類を装備した前面パネル１０２を有し、前面パネル１０２に、情報記憶媒体カードＣを挿入するためのカード挿入口１０３を有している。
【０００５】
カード挿入口１０３にカードＣを挿入すると、スライドボタン１０４がバネ（図示略）の力によりカード挿入口１０３の一部を覆い、取り出しボタン１０５を操作しても、カードＣが取り出せない構成となっている。そして、カードＣへの情報の書き込みは、終了ボタン１０６の操作に応じて開始される。
【０００６】
また、カードＣの取り出しの際は、カード挿入口１０３にかからないようにスライドボタン１０４を前面パネル１０２の左側にずらして保持しながら、取り出しボタン１０５を押圧することで、カードＣを挿入口１０３から排出させることができる。
【０００７】
ところで、このデジタルタコグラフ１００では、前面パネル１０２に設けたカード挿入口１０３が常時外部に露出しているので、カード挿入口１０３から機器内部に埃などが入りやすい上、スライドボタン１０４だけでカードＣの抜き取りを防止しているので、タコグラフの誤操作に対する防御性が弱いという問題があった。このような問題は、デジタルタコグラフ以外の機器でも同様に起こり得る。
【特許文献１】特開２００４−１０３４４６号公報
【発明の開示】
【発明が解決しようとする課題】
【０００８】
そこで、このような問題を解消するものとして、本発明者らは、図４に示すように、機器本体１１０の前面パネル１１１の前側に、カード挿入口１１２を開閉するスライド式のシャッタ１１３を設け、カードＣの挿入や取り出し以外の時は、シャッタ１１３でカード挿入口１１２を遮蔽するようにしたデジタルタコグラフの案を出して検討した（未公開）。
【０００９】
図４に示すものでは、シャッタ１１３のスライド方向は矢印Ａで示す左右方向になっており、カードＣの挿入や取り出し以外の時は、図４（ａ）に示すように、シャッタ１１３が左側にスライドしてカード挿入口１１２を覆い、カードＣの挿入時や取り出し時は、図４（ｂ）に示すように、シャッタ１１３が右側にスライドして、カード挿入口１１２を開放するようになっている。
【００１０】
この場合、シャッタ１１３が脱落したり不正に取り外されたりしないように、シャッタ１１３の上下端縁を機器本体１１０側に設けたレール（図示略）に係合させることで、シャッタ１１３をスライド自在に組み付けることを考え出して検討した。
【００１１】
ところが、その検討の過程で、特にシャッタ１１３の上側の係合部分が弱点になりやすく、痕跡を残さずにドライバ等で本体ケース１０１がこじ開けられてシャッタ１１３が取り外されてしまうと、カードＣが不正に改竄されてしまいかねないことに気付いた。
【００１２】
本発明は、上記事情を考慮し、カード挿入口の遮蔽用のシャッタの不正な取り外しに対する防御性を高めたカード挿入口付き電子機器を提供することを目的とする。
【課題を解決するための手段】
【００１３】
請求項１の発明のカード挿入口付き電子機器は、上ケースと下ケースとこれら両ケースを組み合わせることでできる前面開口を塞ぐ前面パネルとを有する機器本体と、前記前面パネルに設けられ、前記機器本体の内部に情報記憶媒体カードを挿入するためのカード挿入口と、前記前面パネルの前面に該前面パネルに沿って左右方向スライド自在に設けられることで、前記カード挿入口を開閉するスライド式のシャッタと、該シャッタの上部を覆うように前記上ケースの前端に延設された庇部と、該庇部の下面側に形成され、前記シャッタの上端係合縁部が係合されることで、シャッタのスライド動作を案内しながら、シャッタの外れを防止するレール溝と、前記庇部の下面に突設され、該庇部に上向き力が加えられた際に、前記前面パネルの裏面に当たることで、前記庇部の上方への持ち上がりを防止する補強用のリブと、を具備することを特徴とする。
【００１４】
請求項２の発明は、請求項１に記載のカード挿入口付き電子機器であって、前記レール溝の一方の側壁部を構成する前記庇部の前端下垂壁と前記リブとの間に、前記シャッタの上端係合縁部と前記前面パネルの上端とが挟まれていることを特徴とする。
【００１５】
請求項３の発明は、請求項１または２に記載のカード挿入口付き電子機器であって、前記前面パネルの上端に形成された挿入孔に前記リブが挿入されていることを特徴とする。
【００１６】
請求項４の発明は、請求項１または２に記載のカード挿入口付き電子機器であって、前記リブが、前記上ケースの前後方向に長い断面形状を有していることを特徴とする。
【発明の効果】
【００１７】
請求項１の発明によれば、機器本体を構成する上ケースに庇部を設けてシャッタの上部を覆い、庇部の下面側にシャッタの上端係合縁部の係合するレール溝を設けたので、シャッタの不正な取り外しに対する防御性を高めることができる。しかもそれだけではなく、上ケースの庇部の下面に補強用のリブを突設して、庇部に上向き力が加えられた際に、そのリブが前面パネルの裏面に当たることで、庇部の上方への持ち上がりを防止するようにしたので、外部からの力に対して庇部が変形しにくなり、庇部のこじ開けを有効に防止することができる。
【００１８】
従って、シャッタの外れを防ぐことができて、シャッタを閉じているはずの状態でのカードの不正抜き取りを確実に防御することができる。即ち、例えば、カードを抜き取って改竄するためには、簡単なこじ開けでは済まなくなり、機器本体に大きな痕跡を残さざるを得なくなるため、改竄があった場合でも、その発見が容易になるし、こじ開け途中でリブが見えることにより、こじ開けの断念を期待することができ、改竄の防止を図ることができる。
【００１９】
請求項２の発明によれば、リブと庇部の前端下垂壁との間にシャッタの上端係合縁部と前面パネルの上端とを挟んでいるので、庇部にこじ開け力が加わってリブが前面パネルの裏面に当たった際に、前面パネルとシャッタの２枚の壁がリブからの力を受け止める。従って、確実にリブを押さえ込むことができて、簡単な組み付け構造により、庇部の持ち上がりを確実に防ぐことができる。
【００２０】
請求項３の発明によれば、リブが前面パネルの挿入孔に嵌まっていることにより、上ケースの前端と前面パネルの上端の係合が強まり、その結果、前面パネルおよび上ケースの外れを防止することができて、シャッタがより外れにくくなる。
【００２１】
請求項４の発明によれば、リブが縦長断面になることで撓みにくくなり、それにより、庇部がより一層こじ開けられにくくなって、シャッタが外れにくくなる。
【発明を実施するための最良の形態】
【００２２】
以下、本発明の実施形態を図面を参照しながら説明する。
【００２３】
図１は実施形態のデジタルタコグラフの構成図で、図１（ａ）は前部を上側から見た部分分解斜視図、図１（ｂ）は図１（ａ）のＩｂ−Ｉｂ矢視断面図である。また、図２は比較例の構成を示す図で、図２（ａ）は図１（ａ）と同じ部分を示す部分分解斜視図、図２（ｂ）は図２（ａ）のＩＩｂ−ＩＩｂ矢視断面図、図２（ｃ）はドライバで庇部がこじ開けられている様子を示す図２（ｂ）と同じ部分の断面図である。
【００２４】
図１（ａ）に示すように、このデジタルタコグラフの機器本体１は、デジタルタコグラフの回路等を収納する樹脂製の上ケース２および下ケース３と、上ケース２および下ケース３を組み合わせることでできる前面開口を覆う樹脂製の表パネル（前面パネル）４と、を備えている。表パネル４には、ＩＣカード（情報記憶媒体カード）Ｃを機器本体１の内部に挿入するためのカード挿入口５が設けられ、表パネル４の前面に、カード挿入口５を開閉するシャッタ６が、表パネル４に沿って左右方向スライド自在に設けられている。
【００２５】
シャッタ６は、正面板６ａの上端と下端に係合縁部６ｂ（上端側のみ図示）を有しており、これら係合縁部６ｂを、図１（ｂ）に示すように、上ケース２の庇部２ａの前端下面に設けたレール溝２ｃと、下ケース３の前端下面に設けたレール溝（図示せず）にそれぞれ係合させることにより、レール溝２ｃに案内されながら左右方向にスライドできるよう装備され、組み立てた状態でレール溝２ｃから抜けないようになっている。
【００２６】
庇部２ａは、シャッタ６の上部を覆うように上ケース２の前端に延設され、その下面に、前端下垂壁２ｂと奥側の凸部２ｄを両側壁部とすることでレール溝２ｃが形成されている。
【００２７】
また、凸部２ｄのすぐ後側の位置には、上ケース２の前後方向に長い断面形状を有した板状の補強リブ２ｅが突設されている。この補強リブ２ｅは、庇部２ａに上向き力が加えられた際に、表パネル４の裏面に当たることで、庇部２ａの上方への持ち上がりを防止するものであり、上ケース２の左右方向の適当な位置に間隔的に複数配置されている。そして、各補強リブ２ｅが、表パネル４の上端４ｂの上板４ｃに形成された挿入孔４ｅに挿入されていることで、レール溝２ｃの一方の側壁部を構成する庇部２ａの前端下垂壁２ｂとリブ２ｅとの間に、シャッタ６の上端係合縁部６ｂと表パネル４の上端４ｂとが挟まれている。
【００２８】
次に図２の比較例と比べながら上記構成による作用を説明する。
【００２９】
図２の比較例は、同図（ａ）、（ｂ）に示すように、図１（ａ）、（ｂ）における補強リブ２ｅと挿入孔４ｅのないものである。
【００３０】
この比較例の場合、図２（ｂ）に示すように、機器本体１を構成する上ケース２に庇部２ａを設けてシャッタ６の上部を覆い、庇部２ａの下面にシャッタ６の上端係合縁部６ｂの係合するレール溝２ｃを設けているので、シャッタ６の不正な取り外しに対する防御性がある程度は確保されていると思われるが、図２（ｃ）に示すように、庇部２ａの前端にドライバ５０の先端を差し込んで、庇部２ａを上にこじ開けようとした場合、割合と簡単に庇部２ａが撓んで、シャッタ６が取り外せてしまう可能性がある。
【００３１】
これに対し、図１に示す本発明の実施形態の場合は、上ケース２の庇部２ａの下面に、縦長断面（上ケース２の前後方向に長い断面形状）の板状の補強リブ２ｅを突設して、庇部２ａに上向き力が加えられた際に、その補強リブ２ｅが表パネル４の裏面に当たることで、庇部２ａの上方への持ち上がりを防止するようにしている。従って、外部からの力に対して庇部２ａが変形しにくなり、庇部２ａのこじ開けを有効に防止することができる。そのため、シャッタ６の外れを有効に防ぐことができ、シャッタ６を閉じているはずの状態でのカードの不正抜き取りを確実に防御することができる。
【００３２】
即ち、例えば、カードを抜き取って改竄するためには、簡単なこじ開けでは済まなくなり、機器本体１に大きな痕跡を残さざるを得なくなるため、改竄があった場合でも、その発見が容易になるし、こじ開け途中で補強リブ２ｅが見えることにより、こじ開けの断念を期待することができ、改竄の防止を図ることができる。
【００３３】
また、補強リブ２ｅと庇部２ａの前端下垂壁２ｂとの間にシャッタ６の上端係合縁部６ｂと表パネル４の上端４ｂとを挟んでいるので、庇部２ａにこじ開け力が加わって、補強リブ２ｅが表パネル４の裏面に当たった際にも、表パネル４とシャッタ６の２枚の壁が補強リブ２ｅからの力を受け止めることになる。従って、確実に補強リブ２ｅを押さえ込むことができ、簡単な組み付け構造により、庇部２ａの持ち上がりを確実に防ぐことができるようになる。
【００３４】
特に、補強リブ２ｅは表パネル４の上端４ｂに設けた挿入孔４ｅにそれぞれ嵌まっているので、上ケース２の前端と表パネル４の上端４ｂの係合が強まり、その結果、表パネル４および上ケース２の外れを防止することができて、シャッタ６がより外れにくくなる。
【図面の簡単な説明】
【００３５】
【図１】本発明の実施形態のデジタルタコグラフの構成図で、（ａ）は前部を上側から見た部分分解斜視図、（ｂ）は（ａ）のＩｂ−Ｉｂ矢視断面図である。
【図２】本発明と比べるための比較例の構成を示す図で、（ａ）は図１（ａ）と同じ部分を示す部分分解斜視図、（ｂ）は（ａ）のＩＩｂ−ＩＩｂ矢視断面図、（ｃ）はドライバで庇部がこじ開けられている様子を示す（ｂ）と同じ部分の断面図である。
【図３】従来のデジタルタコグラフの一例を示す外観斜視図である。
【図４】本発明に至る前に検討したスライド式のシャッタを有するデジタルタコグラフの一例を示す外観斜視図で、（ａ）はシャッタを閉じた状態、（ｂ）はシャッタを開いた状態を示す図である。
【符号の説明】
【００３６】
１  機器本体
２  上ケース
２ａ  庇部
２ｂ  前端下垂壁
２ｃ  レール溝
２ｅ  リブ
３  下ケース
４  表パネル（前面パネル）
４ｂ  上端部
４ｅ  挿入孔
５  カード挿入口
６  シャッタ
６ｂ  係合縁部（上端係合縁部）
Ｃ  ＩＣカード（情報記憶媒体カード）
【図１】
2008273470.tif 000003
【図２】
2008273470.tif 000004
【図３】
2008273470.tif 000005
【図４】
2008273470.tif 000006